(57)【要約】【目的】爪切りの刃先が自由に回転して爪を切りやすい角度に設定できると共に、大小の刃先や形状の異なる刃先等の複数の刃先を有する爪切りの構造に関するものである。【解決手段】本発明の爪切りは、一端が固定された上部ばね板１と下部ばね板２を有し、上部ばね板１と下部ばね板２の他端を押し下げる梃子板３を有し、上部ばね板１と下部ばね板２の他端の隙間には複数の刃先を有する爪切り本体４を有し、梃子板３と上部ばね板１と下部ばね板２と爪切り本体４とを支持軸５により爪切り本体４が回動自在に一体化されているので、複数の刃先を有する爪切りにより大小２個といった複数の爪切りが必要でなくなり、爪切り本体４を回動自在に一体化することで所望の角度で爪を切ることができるのである。【選択図】図１
2010088857.tif 000002
【特許請求の範囲】
【請求項１】
一端が固定された上部ばね板１と下部ばね板２を有し、上部ばね板１と下部ばね板２の他端を押し下げる梃子板３を有し、上部ばね板１と下部ばね板２の他端の隙間には複数の刃先を有する爪切り本体４を有し、梃子板３と上部ばね板１と下部ばね板２と爪切り本体４とを支持軸５により爪切り本体４が回動自在に一体化してなることを特徴とする複数の刃先を有する爪切り。
【請求項２】
爪切り本体４は、互いに嵌合し概中央に軸穴６を有する上部板７と下部板８及び上部板７と下部板８の隙間にばね９を配置して爪切り本体４を構成し、爪切り本体４の一端には第一の刃先１０を有し他端には第一の刃先とは形状又は大きさが異なる第二の刃先１１を有することを特徴とする請求項１記載の複数の刃先を有する爪切り。
【請求項３】
上部ばね板１又は／及び下部ばね板２に凸状突起１２を設け、爪切り本体４の上部板７又は／及び下部板８に一つ又は複数の凹状窪み１３を設けて爪切り本体４の回転を固定する手段を設けたことを特徴とする請求項１又は請求項２記載の複数の刃先を有する爪切り。
【請求項４】
爪切り本体４の第一の刃先１０は概凹形状とし、第二の刃先１１は第一の刃先１０より大きさが小さい概凹形状の刃先としたことを特徴とする請求項２記載の複数の刃先を有する爪切り。
【請求項５】
爪切り本体４の第一の刃先１０は概凹形状とし、第二の刃先１１は概凸形状としたことを特徴とする請求項２記載の複数の刃先を有する爪切り。
【発明の詳細な説明】
【技術分野】
【０００１】  本発明は爪切りの刃先が自由に回転して爪を切りやすい角度に設定できると共に、大小の刃先や形状の異なる刃先等の複数の刃先を有する爪切りの構造に関するものである。
【背景技術】
【０００２】  本発明と関連した刃先が回転する爪切りの先行技術として、使用方向によって爪切り刃体の下端を直接握り、本体から容易に回転させることができ、梃子の回転時、刃体が共に回らないようにし、使用中、刃体の任意回転を防止し、刃体を段階別角度で左右回転させて所望の角度で爪を切ることができるようにした爪切り及び爪切り用刃体と、梃子、そして支持軸（特許文献１）が知られていた。【０００３】  又、本発明と関連した複数の刃先を有する爪切りの先行技術として、三方向に刃をつけて左右手足の指の爪を切りやすくし、爪が湾曲になっているため爪切りの刃（前方から見たところ）を湾曲させた三方向自在爪切（特許文献２）が知られていた。【０００４】
【特許文献１】特表２００６−５０９６１１
【特許文献２】実用新案登録第３０７５４１７号
【発明の開示】
【発明が解決しようとする課題】
【０００５】  特許文献１の爪切り及び爪切り用刃体と、梃子、そして支持軸では、爪切り刃体を支持軸を中心として容易に回転させることができ、刃体を段階別角度で左右回転させて所望の角度で爪を切ることができるが、爪を切ることができる刃体は１個であるので、大人用と子ども用といった指の大きさや爪の大きさが異なる場合には大小２個の複数の爪切りが必要であるといった課題を有する。【０００６】  又、爪を切ることができる刃体が凹形状の１種類のみであるので、切る爪の形状や爪の部位（手の指と足の指）に合わせて、凹形状と凸形状といった複数の形状が必要な場合には形状の異なる複数の爪切りが必要であるといった課題を有する。【０００７】  特許文献２の三方向自在爪切では、爪切りの刃体は三方向を向いていて自由度はあるが、それぞれの刃体は固定された角度であるので爪を切る位置により角度を自由に設定できないといった課題を有すると共に、一つ一つの刃体の大きさが小さくなってしまうので、爪が切りにくくなってしまうといった課題を有し、さらには三方向に刃体を有する爪切りは製造が難しく、特に刃先を研磨する精度が得にくいので精度的にも課題を有する。【０００８】  本発明は、このような従来の構成が有していた課題を解決しようとするものであり、一個の爪切りでも複数の刃先を有し、複数の刃先が自由に回転して所望の角度で爪を切ることができる爪切りを実現することを目的とする。
【課題を解決するための手段】
【０００９】  本発明の複数の刃先を有する爪切りは、一端が固定され他端が概Ｖ字状に開いた形状の上部ばね板１と下部ばね板２を有し、上部ばね板１と下部ばね板２の概Ｖ字状に開いた他端を押し下げる梃子板３を有し、上部ばね板１と下部ばね板２の概Ｖ字状に開いた他端の隙間には両端に複数の刃先を有する爪切り本体４を有し、梃子板３と上部ばね板１と下部ばね板２と爪切り本体４とを支持軸５により固定して、爪切り本体４が回動自在に一体化することにより、複数の刃先を有する爪切りの爪切り本体４の構成により大小２個といった複数の爪切りが必要でなくなり、爪切り本体４を回動自在に一体化することで所望の角度で爪を切ることができるのである。【００１０】  爪切り本体４は互いに嵌合し、概中央に軸穴６を有する上部板７と下部板８及び上部板７と下部板８の隙間にばね９を配置して爪切り本体４を構成し、爪切り本体４の一端には第一の刃先１０を有し他端には第一の刃先１０とは形状又は大きさが異なる第二の刃先１１を有することで、大人用と子ども用といった大小二個の刃先又は凹形状と凸形状といった形状の異なる刃先を実現している。【００１１】  上部ばね板１又は／及び下部ばね板２に凸状突起１２を設け、爪切り本体４の上部板７又は／及び下部板８に一つ又は複数の凹状窪み１３を設けて爪切り本体４の回転を固定する手段を設けることにより、自由に回転する爪切り本体４の回転を複数のある一定の角度で仮固定できるので、仮固定する角度を適切に選択することにより爪を切る際に爪切り本体４が自然に回転してしまうことを防止できるのである。【００１２】  爪切り本体４の第一の刃先１０は概凹形状とし、第二の刃先１１は第一の刃先１０より大きさが小さい概凹形状の刃先とすることにより大人用と子ども用といった指の大きさが異なる場合でも１個の爪切りで良いのである。【００１３】  爪切り本体４の第一の刃先１０は概凹形状とし、第二の刃先１１は概凸形状とすることにより、手指の爪は凹形状の第一の刃先１０で、足指の爪は凸形状の第二の刃先１１で切ることにより、爪切りが楽になるのである。
【発明の効果】
【００１４】  上述したように本発明の複数の刃先を有する爪切りは、梃子板３と上部ばね板１と下部ばね板２と爪切り本体４とを支持軸５により爪切り本体４が回動自在に一体化することにより、爪切り本体４は指示軸５を中心に自由に回転するので爪を切る位置により自由に角度を設定できないといった課題を解決している。【００１５】  爪切り本体４の一端には第一の刃先１０を有し他端には第一の刃先１０とは大きさが異なる第二の刃先１１を有することで、大人と子どものように指や爪の大きさが異なる場合でも大小２個といった複数の爪切りを準備する必要はないのである。【００１６】  爪切り本体４の一端には第一の刃先１０を有し他端には第一の刃先１０とは形状が異なる第二の刃先１１を有することにより、切る爪の形状や爪の部位（手の指と足の指等）に合わせて凹形状の刃先を使用したり凸形状の刃先を使用することができ、複数の形状を得ることができるので、形状の異なる複数の爪切りを準備する必要はないのである。【００１７】  爪切り本体４の一端には第一の刃先１０を有し他端には第一の刃先１０とは形状又は大きさが異なる第二の刃先１１を有することで、爪切り本体４の刃先は十分な大きさを得ることができるので、一つ一つの刃体の大きさが小さくなってしまうといった課題を解決することができるのである。【００１８】  さらには、上部ばね板１又は／及び下部ばね板２に凸状突起１２を設け、爪切り本体４の上部板７又は／及び下部板８に一つ又は複数の凹状窪み１３を設けて爪切り本体４の回転を固定する手段を設けることにより、自由に回転する爪切り本体４の回転を複数のある一定の角度で仮固定できるので、仮固定する角度を適切に選択することにより爪を切る際に爪切り本体４が自然に回転してしまうことが防止できるのである。【００１９】  本発明の複数の刃先を有する爪切りは、基本的には二つの刃先を有する構造であるので刃先の大きさを必要以上に小さくする必要はなく、刃を研磨する精度も良好で製造も容易であるといった効果を有する。
【発明を実施するための最良の形態】
【００２０】  以下、本発明の実施の形態を図１〜図５に基づいて説明する。【００２１】  図１は複数の刃先を有する爪切りの斜視図、図２は複数の刃先を有する爪切りの別の斜視図、図３は複数の刃先を有する爪切り要部の拡大図、図４は爪切り本体の説明用断面図、図５は刃先を凸形状とした斜視図である。【００２２】  複数の刃先を有する爪切りの構造を説明する。【００２３】  １は上部ばね板、２は下部ばね板であり、上部ばね板１と下部ばね板２は一端が固定されて他端は概Ｖ字形状に開いた形状をしている。【００２４】  ３は梃子板であり、上部ばね板１と下部ばね板２の他端において支持軸５により上部ばね板１と下部ばね板２と共に固定されて概Ｖ字形状に開いた形状の上部ばね板１と下部ばね板２の他端を開閉する作用を行なう。【００２５】  ４は爪切り本体であり、７の上部板と８の下部板で構成されており、上部板７と下部板８は概箱状で上部板７が内箱、下部板８が外箱で、外箱と内箱が嵌合して箱を形成するが如く上部板７と下部板８は嵌合しているのである。【００２６】  上部板７と下部板８のほぼ中央には支持軸５が貫通する軸穴６を有し、上部板７と下部板８の隙間には支持軸５を囲む形でばね９が配置されて上部板７と下部板８を押し広げる作用を有している。【００２７】  爪切り本体４の一端には第一の刃先１０を有し、爪切り本体４の他端には第二の刃先１１を有しており、第一の刃先１０及び第一の刃先１０とは大きさや形状が異なる第二の刃先１１による複数の刃先はそれぞれ爪を切る作用を行なう。【００２８】  爪切り本体４の上部板７と下部板８で構成する第一の刃先１０及び第二の刃先１１の噛み合わせ精度は、概箱体で構成されている上部板７と下部板８の箱体構造と、上部板７及び下部板８の概中央に有する軸穴６及び支持軸５の精度により、適切な精度に保たれている。【００２９】  上部ばね板１又は／及び下部ばね板２の概Ｖ字状に開いた先端のほぼ中央部には凸状突起１２を有し、爪切り本体４の上部板７又は／及び下部板８に一つ又は複数の凹状窪み１３を設け、凸状突起１２の突起部が凹状窪み１３の窪み部に嵌合することにより爪切り本体４の回転を仮固定する手段となし、爪切り本体４を回転させた時に一定の角度で仮固定させて、小さな力で爪切り本体４が回転してしまうことを防止する作用を有しているのである。【００３０】  爪切り本体４の第一の刃先１０は概凹形状とし、第二の刃先１１は第一の刃先１０より大きさが小さい概凹形状の刃先ととすることにより、大人の爪は第一の刃先１０で切り子どもの爪は第二の刃先１１で切るといった使い分けや、手の爪又は親指等の大きな爪は第一の刃先１０で切り足の爪又は小指等の小さな爪は第二の刃先１１で切るといった使い分けができるのである。【００３１】  爪切り本体４の第一の刃先１０は概凹形状とし、第二の刃先１１は概凸形状とすることにより、第一の刃先１０では手の爪や切りやすい爪を切り、第二の刃先１１では足の爪や切りにくい爪を切るといった使い分けが可能なのである。【００３２】  以下、上記構成による複数の刃先を有する爪切りの動作を説明する。【００３３】  以下の説明において、第一の刃先１０及び第二の刃先１１の形状は通常市販されている爪切��と同様に概凹形状であり、第一の刃先１０は第二の刃先１１より大きさが大きいものとし、凸状突起１２を上部ばね板１に有し、凹状窪み１３を上部板７に有するものとし、凸状突起１２及び凹状窪み１３による爪切り本体の回転を仮固定する手段は概３０度ごとに仮固定されるものとして説明する。【００３４】  通常市販されている爪切りと同様の動作をさせる場合には、例えば第一の刃先１０が爪切りの前部にくるように調節して、市販されている爪切りと同様に梃子板３を押し下げて上部ばね板１と下部ばね板２のＶ字形状に開いた形状の他端を押し下げれば、爪切り本体４の上部板７と下部板８が押し下げられて第一の刃先１０が噛み合うことにより爪を切ることができるのである。【００３５】  次に第一の刃先１０が爪切りの前部にある場合では爪が切りにくい場合、例えば手の小指の爪を切る場合や足の爪を切る場合には、爪切り本体４を３０度（又は−３０度）又は６０度（又は−６０度）あるいは９０度（又は−９０度）といった爪を切りやすい角度に回転させて凸状突起１２及び凹状窪み１３を嵌合させて仮固定し、その状態で通常の爪切りと同様の操作で梃子板３を押し下げることにより、爪切り本体４の上部板７と下部板８が押し下げられて第一の刃先１０が噛み合うことにより爪を切ることができるので、通常の爪切りでは切りにくい角度であっても容易に爪を切ることができるのである。【００３６】  また、手の小指の爪のように小さな爪や足の小指のように切りにくい爪又は子どもの爪のように小さな指の爪を切る場合には、爪切り本体４を概１８０度（又は−１８０度）回転させて第一の刃先１０より大きさが小さな第二の刃先１１が爪切りの前部にくるように調節し、さらに爪を切りやすい適当な角度に爪切り本体４を調節して爪を切れば、爪切りの刃先の大きさと指の大きさがほどよくなじんで、きれいに爪を切ることができるのである。【００３７】  次に、図５で示すように第一の刃先１０は通常市販されている爪切りと同様に概凹形状であり、第二の刃先１１は第一の刃先１０とは逆の形状である概凸形状とした場合について説明する。【００３８】  通常市販されている爪切りの刃先が概凹形状をしている理由は、指の爪の部分が概凸形状であるため、凸形状の爪に凹形状の爪切りの刃先を当てれば形状がほどよくなじんで爪の切断範囲が広くなると共に、爪がきれいに、しかも早く切れるためである。【００３９】  しかしながら、指の爪の形状は必ずしも凹形状とは限らず、例えば爪が割れてしまった場合とか、足の指の爪の中には指の太さに比べて爪が極端に小さい指があったり、爪そのものがかなり変形していたりして、概凹形状の爪切りの刃先では爪が切りにくい場合がある。【００４０】  このように爪切りの刃先が概凹形状では切りにくい場合には、爪切り本体４を概１８０度（又は−１８０度）回転させて、爪切りの刃先が概凸形状をした第二の刃先１１により爪切りを行なうことにより、刃先の中央が突き出た形状の第二の刃先１１により切りにくい爪を容易に切ることができるのである。【００４１】  以上説明したように本発明の複数の刃先を有する爪切りを使用すれば、回転可能な爪切り本体４により自由な角度で爪を切ることができ、爪切り本体４の両端に���なる大きさの刃先を形成することにより、大人用と子ども用といった使い分けや切る爪の大きさによる使い分けが可能となるのである。【００４２】  爪切り本体４の両端に異なる形状の刃先を形成することにより、切る爪の状態により使用する刃先を自由に選択するといった使い分けが可能となる。【００４３】  さらには凸状突起１２及び凹状窪み１３による回転を仮固定する手段により、切りにくい爪を切る際にも爪切り本体４が軽い力で回転するのを防止するので、爪切り作業が能率良く行なわれるのである。
【図面の簡単な説明】
【００４４】
【図１】複数の刃先を有する爪切りの斜視図
【図２】複数の刃先を有する爪切りの別の斜視図
【図３】複数の刃先を有する爪切りの要部の拡大図
【図４】爪切り本体の説明用断面図
【図５】刃先を凸形状とした斜視図
【符号の説明】
【００４５】    １：上部ばね板
２：下部ばね板
３：梃子板
４：爪切り本体
５：支持軸
６：軸穴
７：上部板
８：下部板
９：ばね
１０：第一の刃先
１１：第二の刃先
１２：凸状突起
１３：凹状窪み
【図１】
2010088857.tif 000003
【図２】
2010088857.tif 000004
【図３】
2010088857.tif 000005
【図４】
2010088857.tif 000006
【図５】
2010088857.tif 000007